(57)【特許請求の範囲】
【請求項１】
ビデオコンテンツの動画ビデオデータを提供する複数のビデオサーバと、前記複数のビデオサーバにより提供されるビデオコンテンツの内容に関する情報を提供するウェブサーバと、ビデオサーバから動画ビデオデータを取得すると共に前記ウェブサーバからビデオコンテンツの内容に関する情報を取得するクライアントとにより構成されるビデオオンデマンド支援システムにおいて、
各ビデオサーバは、
提供するビデオコンテンツのタイトルと再生時間とハイライトシーンの位置情報を含むタイトル情報を記憶した記憶装置と、
入力に基づき前記記憶装置に記憶されたタイトル情報の更新を行うタイトル情報更新手段と、
前記ウェブサーバからタイトル情報の要求を受けて、前記タイトル情報中のハイライトシーンの位置情報に基づき動画による１ピクチャのビデオデータを静止画形式のデータに変換して、他のタイトル情報と共にウェブサーバへ与える動画／静止画変換手段と、
を具備しており、
前記ウェブサーバは、
各ビデオサーバが提供するビデオコンテンツのタイトルと再生時間とハイライトシーンの静止画情報を記憶するデータベースと、
所定時毎に各ビデオサーバにタイトル情報の要求を行って、得られたビデオコンテンツのタイトルと再生時間とハイライトシーンの静止画情報を前記データベースに記憶してタイトル情報を更新する属性情報取得手段と、
クライアントからの要求に応じて前記データベースに記憶されている情報を取り出し、各ビデオサーバが提供するビデオコンテンツのタイトルと再生時間とハイライトシーンの静止画情報を、画面分割して各区画に表示する情報として送信するビデオ情報提供手段と、
を具備していることを特徴とするビデオオンデマンド支援システム。
【請求項２】
各ビデオサーバは、前記ウェブサーバからタイトル情報の要求を受けた場合に自己の負荷状況を検出し、負荷状況情報を前記ウェブサーバへ送出する手段を備え、
前記ウェブサーバは、各ビデオサーバへのタイトル情報の要求時に得られた負荷状況情報に基づき混雑度情報をクライアントへタイトル情報と共に提供する手段を備えていることを特徴とする請求項１に記載のビデオオンデマンド支援システム。
【請求項３】
ビデオコンテンツの動画ビデオデータを提供する複数のビデオサーバであって、提供するビデオコンテンツのタイトルと再生時間とハイライトシーンの位置情報を含むタイトル情報を記憶した記憶装置と、入力に基づき前記記憶装置に記憶されたタイトル情報の更新を行うタイトル情報更新手段と、前記ウェブサーバからタイトル情報の要求を受けて、前記タイトル情報中のハイライトシーンの位置情報に基づき動画による１ピクチャのビデオデータを静止画形式のデータに変換して、他のタイトル情報と共にウェブサーバへ与える動画／静止画変換手段と、を具備する複数のビデオサーバと、前記複数のビデオサーバにより提供されるビデオコンテンツの内容に関する情報を提供するウェブサーバと、ビデオサーバから動画ビデオデータを取得すると共に前記ウェブサーバからビデオコンテンツの内容に関する情報を取得するクライアントとにより構成されるビデオオンデマンド支援システムの前記ウェブサーバにおいて、
各ビデオサーバが提供するビデオコンテンツのタイトルと再生時間とハイライトシーンの静止画情報を記憶するデータベースと、
所定時毎に各ビデオサーバにタイトル情報の要求を行って、得られたビデオコンテンツのタイトルと再生時間とハイライトシーンの静止画情報を前記データベースに記憶してタイトル情報を更新する属性情報取得手段と、
クライアントからの要求に応じて前記データベースに記憶されている情報を取り出し、各ビデオサーバが提供するビデオコンテンツのタイトルと再生時間とハイライトシーンの静止画情報を、画面分割して各区画に表示する情報として送信するビデオ情報提供手段と、
を具備していることを特徴とするウェブサーバ。
【請求項４】
各ビデオサーバが、前記ウェブサーバからタイトル情報の要求を受けた場合に自己の負荷状況を検出し、負荷状況情報を前記ウェブサーバへ送出する手段を備えることに対応し、各ビデオサーバへのタイトル情報の要求時に得られた負荷状況情報に基づき混雑度情報をクライアントへタイトル情報と共に提供する手段を備えていることを特徴とする請求項３に記載のウェブサーバ。
【発明の詳細な説明】
【０００１】
【発明の属する技術分野】
この発明は、クライアントへ動画によるビデオデータを供給するビデオサーバと、上記クライアントが通常使用する第１のブラウザによるアクセスに応えて情報を提供する第１のサーバとが共存するネットワークシステムにおいて実現されるビデオオンデマンド支援システム及びこのシステムに用いられるウェブサーバに関するものである。
【０００２】
【従来の技術】
従来、ビデオオンデマンドシステムにあっては、クライアント（クライアント計算機）からコンテンツ一覧を取り出し、また、コンテンツを選択する場合には、各ビデオサーバ毎に直接アクセスを行う必要があった。更に、ビデオサーバをアクセスするためには、クライアントが通常使用しているＷＷＷブラウザを利用することができず、ビデオオンデマンド用のタイトルブラウザを起動する必要があり、操作が煩わしいという問題点があった。
【０００３】
更に、タイトル一覧の内容は、通常はタイトル名や再生時間等の情報であり、コンテンツの内容を的確に把握することが困難であり、所望のコンテンツを探し当てるまで多くの時間を費やすことが多かった。また、ビデオサーバがハイライトシーンを提供する場合には、クライアントにおいてはＷＷＷブラウザでは対応できず、プラグイン（ビデオサーバが提供する画像を見るための特別なソフト）が必要であった。
【０００４】
【発明が解決しようとする課題】
本発明は、上記のような従来のビデオオンデマンドシステムにおける問題点を解決せんとしてなされたもので、その目的は、クライアントが通常使用しているブラウザを用いてビデオサーバが提供するコンテンツの内容を適切に知ることのできるビデオオンデマンド支援システム及びこのシステムに用いられるウェブサーバを提供することである。
【０００５】
【課題を解決するための手段】
本発明に係るビデオオンデマンド支援システムは、ビデオコンテンツの動画ビデオデータを提供する複数のビデオサーバと、前記複数のビデオサーバにより提供されるビデオコンテンツの内容に関する情報を提供するウェブサーバと、ビデオサーバから動画ビデオデータを取得すると共に前記ウェブサーバからビデオコンテンツの内容に関する情報を取得するクライアントとにより構成されるビデオオンデマンド支援システムにおいて、各ビデオサーバは、提供するビデオコンテンツのタイトルと再生時間とハイライトシーンの位置情報を含むタイトル情報を記憶した記憶装置と、入力に基づき前記記憶装置に記憶されたタイトル情報の更新を行うタイトル情報更新手段と、前記ウェブサーバからタイトル情報の要求を受けて、前記タイトル情報中のハイライトシーンの位置情報に基づき動画による１ピクチャのビデオデータを静止画形式のデータに変換して、他のタイトル情報と共にウェブサーバへ与える動画／静止画変換手段と、を具備しており、前記ウェブサーバは、各ビデオサーバが提供するビデオコンテンツのタイトルと再生時間とハイライトシーンの静止画情報を記憶するデータベースと、所定時毎に各ビデオサーバにタイトル情報の要求を行って、得られたビデオコンテンツのタイトルと再生時間とハイライトシーンの静止画情報を前記データベースに記憶してタイトル情報を更新する属性情報取得手段と、クライアントからの要求に応じて前記データベースに記憶されている情報を取り出し、各ビデオサーバが提供するビデオコンテンツのタイトルと再生時間とハイライトシーンの静止画情報を、画面分割して各区画に表示する情報として送信するビデオ情報提供手段と、を具備していることを特徴とする。
【０００６】
本発明に係るビデオオンデマンド支援システムは、各ビデオサーバは、前記ウェブサーバからタイトル情報の要求を受けた場合に自己の負荷状況を検出し、負荷状況情報を前記ウェブサーバへ送出する手段を備え、
前記ウェブサーバは、各ビデオサーバへのタイトル情報の要求時に得られた負荷状況情報に基づき混雑度情報をクライアントへタイトル情報と共に提供する手段を備えていることを特徴とする。
【０００７】
本発明に係るウェブサーバは、ビデオコンテンツの動画ビデオデータを提供する複数のビデオサーバであって、提供するビデオコンテンツのタイトルと再生時間とハイライトシーンの位置情報を含むタイトル情報を記憶した記憶装置と、入力に基づき前記記憶装置に記憶されたタイトル情報の更新を行うタイトル情報更新手段と、前記ウェブサーバからタイトル情報の要求を受けて、前記タイトル情報中のハイライトシーンの位置情報に基づき動画による１ピクチャのビデオデータを静止画形式のデータに変換して、他のタイトル情報と共にウェブサーバへ与える動画／静止画変換手段と、を具備する複数のビデオサーバと、前記複数のビデオサーバにより提供されるビデオコンテンツの内容に関する情報を提供するウェブサーバと、ビデオサーバから動画ビデオデータを取得すると共に前記ウェブサーバからビデオコンテンツの内容に関する情報を取得するクライアントとにより構成されるビデオオンデマンド支援システムの前記ウェブサーバにおいて、各ビデオサーバが提供するビデオコンテンツのタイトルと再生時間とハイライトシーンの静止画情報を記憶するデータベースと、所定時毎に各ビデオサーバにタイトル情報の要求を行って、得られたビデオコンテンツのタイトルと再生時間とハイライトシーンの静止画情報を前記データベースに記憶してタイトル情報を更新する属性情報取得手段と、クライアントからの要求に応じて前記データベースに記憶されている情報を取り出し、各ビデオサーバが提供するビデオコンテンツのタイトルと再生時間とハイライトシーンの静止画情報を、画面分割して各区画に表示する情報として送信するビデオ情報提供手段と、を具備していることを特徴とする。
【０００８】
本発明のウェブサーバでは、各ビデオサーバは、前記ウェブサーバからタイトル情報の要求を受けた場合に自己の負荷状況を検出し、負荷状況情報を前記ウェブサーバへ送出する手段を備えることに対応し、各ビデオサーバへのタイトル情報の要求時に得られた負荷状況情報に基づき混雑度情報をクライアントへタイトル情報と共に提供する手段を備えていることを特徴とする。
【００１０】
【発明の実施の形態】
以下添付図面を参照して本発明の実施の形態に係るビデオオンデマンド支援システム及びこのシステムに用いられるウェブサーバを説明する。図１には、ビデオオンデマンド支援システムの構成が示されている。このシステムは、ネットワーク１に複数のビデオサーバ２−１〜２−３と、少なくとも１つのＷＷＷ（ワールド・ワイド・ウェブ）サーバ３と、複数台のクライアント４−１〜４−ｎが接続されたネットワークシステムである。ＷＷＷサーバ３には、タイトル情報データベース５が付設されている。
【００１１】
ビデオサーバ２−１〜２−３は、各クライアントへ動画によるビデオデータを供給する同様の構成を備えており、ビデオサーバ２−２を代表として説明すると、ビデオサーバ２−２には、各クライアントへ動画によるビデオデータを供給する動画供給手段２１、設定されたハイライトシーンの位置情報に基づき動画による１ピクチャのビデオデータを静止画形式のデータに変換してＷＷＷサーバ３へ送出する動画／静止画変換手段２２、ビデオデータに関する属性情報及びハイライトシーン情報を管理及び送出する属性情報管理手段２３が備えられている。
【００１２】
一方、ＷＷＷサーバ３には、ビデオサーバからビデオデータに関する属性情報及びハイライトシーン情報を取得する属性情報取得手段３１と、この取得した情報をクライアントが通常使用するＷＷＷブラウザによるアクセスに応えて提供するビデオ情報提供手段３２とが備えられている。
【００１３】
また、クライアント４−１〜４−ｎは、いずれも同様の構成を有し、クライアント４−１を代表として説明すると、クライアント４−１は、ＷＷＷブラウザ４１、ビデオサーバ２−１〜２−３から動画を得るためのビデオブラウザ４２を備えている。
【００１４】
ビデオサーバ２−１〜２−３、ＷＷＷサーバ３、クライアント４−１〜４−ｎは、コンピュータシステムの構成を有し、全ての構成要件を備える必要はないが、例えば、図２に示されるように構成されている。すなわち、図２の計算機は、装置を統括制御するＣＰＵ５１を有し、このＣＰＵ５１にシステムバス５３を介して上記ＣＰＵ５１が用いるプログラム及びデータ等の情報が記憶される主記憶装置５２が接続されている。更に、システムバス５３にはキーボード制御部５４、表示制御部５５、プリンタ制御部５６、通信インタフェース５７、マウス制御部５８、磁気ディスク制御部５９が接続されている。キーボード制御部５４には各種情報をキー入力可能なキーボード入力装置６０が接続され、表示制御部５５には情報を表示するためのＣＲＴ表示装置６１が接続され、プリンタ制御部５６には情報を印字出力するためのプリンタ装置６２が接続され、通信インタフェース５７には回線を介して通信を行うための通信処理部６３が接続され、マウス制御部５８にはポインティングディバイスであるマウス６４が接続され、磁気ディスク制御部５９には補助記憶装置である磁気ディスク装置６５が接続されている。なお、ネットワークサーバ２には、ＣＰＵ５１、主記憶装置５２、磁気ディスク制御部５９、磁気ディスク装置６５、通信インタフェース５７、通信制御部６３が少なくとも設けられる。磁気ディスク装置６５は、例えば図１のＷＷＷサーバ３ににおけるタイトル情報データベースとして用いられる。また、必要に応じてフロッピーディスクドライブ、磁気カード或いはＩＣカードリーダ、ＭＯ（光磁気ディスク）ドライブ等が設けられる。
【００１５】
以上のように構成されたシステムにおいて、タイトル情報データベース５には、図３に示されるようなタイトル情報が記憶されているものとする。つまり、タイトル情報は、各ビデオコンテンツに対応するタイトル、再生時間、ハイライトシーン情報、当該ビデオコンテンツが登録されているビデオサーバのホスト名、当該ビデオコンテンツの更新日時が少なくとも登録されている。この状態では、タイトル名が「title A1」、「title C 」の２本のビデオコンテンツに関するタイトル情報が記憶されている。
【００１６】
また、ビデオサーバ２−１には図４に示されるようなタイトル情報が記憶され、ビデオサーバ２−２には図５に示されるようにタイトル情報が記憶されておらず、ビデオサーバ２−３には図６に示されるようなタイトル情報が記憶されたものとする。例えば、現在の日時が７月１日の１２：００時であり、これより以前に、ビデオサーバ２−１とビデオサーバ２−３においてタイトル情報の更新が行われ、図３に示すＷＷＷサーバのタイトル情報と相違することになったことを示す。
【００１７】
各ビデオサーバ２−１〜２−３におけるタイトル情報の更新は、それぞれのＣＰＵが図８に示されるフローチャートに対応するプログラムに基づき属性情報管理手段２３として機能することにより行われる。つまり、管理者がコンテンツの追加や削除、更にはハイライトシーン情報の変更などを行うことによりタイトル情報が更新されたかを検出しており（Ｓ１）、更新がなされたことを検出すると、タイトル名等の更新やハイライトシーン情報のセットを行う（Ｓ２）。尚、ハイライトシーン情報のセットは、例えばビデオ信号の再生開始からの時間位置情報により行う。また、ハイライトシーン情報がセットされない場合には、再生時間の中央の時間をハイライトシーン情報とする。
【００１８】
一方、ＷＷＷサーバ３のＣＰＵは図１０に示されるフローチャートに対応するプログラムを実行することにより属性情報取得手段３１として機能する。ビデオサーバ２−１〜２−３に対する問合せの期限（時刻、例えば１２：００）が到来したかを検出する（Ｓ１１）。ここで期限が到来すると、問合せに係るビデオサーバ２−１〜２−３の識別情報（Ａ、Ｂ、Ｃ）をキューイングし（図１１のＦ１）、第１番目の問合せ先を取り出す（Ｓ１２）。ここでは、図１１のビデオサーバ２−１の識別情報Ａが取り出される。
【００１９】
そして、ビデオサーバ２−１へ問合せを実行し（Ｓ１３）、ビデオサーバ２−１から過負荷状態である旨の返送が送られて来たかを検出する（Ｓ１４）。過負荷状態の返送がなければ、到来する更新内容である図４に示されるようなタイトル情報に基づきタイトル情報データベース５に内容を反映させる（Ｓ１５）。この結果、図７に示されるようにタイトル名が「title A2」のビデオコンテンツに関するタイトル情報が追加記憶される。
【００２０】
そして、キューに積まれた問合せ先が残されているかを検出する（Ｓ１９）。ここでは、図１１のＦ２に示されるように識別情報Ｂ、Ｃが残っているので、図１１のビデオサーバ２−２の識別情報Ｂが取り出される（Ｓ２０）。
【００２１】
そして、ビデオサーバ２−２へ問合せを実行し（Ｓ１３）、ビデオサーバ２−２から過負荷状態である旨の返送が送られて来たかを検出する（Ｓ１４）。ここで図１１のＦ２の次に示されるように過負荷状態の返送がされ、問合せ回数が規定値を超えたかを検出し（Ｓ１６）、規定値を超えていなければ図１１のＦ３に示されるようにビデオサーバ２−２の識別情報Ｂをキューの最後に再度積み（Ｓ１７）、キューに積まれた問合せ先が残されているかを検出する（Ｓ１９）。ここでは、図１１のＦ３に示されるように識別情報Ｃ、Ｂが残っているので、図１１のビデオサーバ２−３の識別情報Ｃが取り出される（Ｓ２０）。
【００２２】
そして、ビデオサーバ２−３へ問合せを実行し（Ｓ１３）、ビデオサーバ２−３から過負荷状態である旨の返送が送られて来たかを検出する（Ｓ１４）。過負荷状態の返送がなければ、到来する更新内容である図６に示されるようなタイトル情報に基づきタイトル情報データベース５に内容を反映させる（Ｓ１５）。この結果、図７に示されるようにタイトル名が「title C 」のビデオコンテンツに関するタイトル情報の内、ハイライトシーンとして更新された「Cnew.jpeg 」に基づく情報が更新記憶される。
【００２３】
そして、キューに積まれた問合せ先が残されているかを検出する（Ｓ１９）。ここでは、図１１のＦ４に示されるように識別情報Ｂが残っているので、図１１のビデオサーバ２−２の識別情報Ｂが取り出される（Ｓ２０）。ここで図１１のＦ４の次に示されるように過負荷状態の返送がされ、問合せ回数が規定値を超えたかを検出し（Ｓ１６）、規定値を超えていなければ図１１のＦ４以降に示されるようにビデオサーバ２−２の識別情報Ｂをキューの最後に再度積み（Ｓ１７）、キューに積まれた問合せ先が残されているかを検出する（Ｓ１９）。規定値を超えていれば、キューに積むことなく（Ｓ１８）処理を終了する。以上のようにして、図７に示されるタイトル情報のテーブルが完成する。
【００２４】
上記のＷＷＷサーバ３の動作に対応してビデオサーバ２−１〜２−３のＣＰＵは、図９に示されるフローチャートに対応するプログラムに基づき属性情報管理手段２３として機能する。つまり、ＷＷＷサーバ３から問合せが到来したかを検出しており（Ｓ３）、問合せが到来すると自サーバの負荷状況を調べ（Ｓ４）、問合せに対応可能か否かを検出する（Ｓ５）。ここで問合せに対応不可能であることを検出すると、過負荷の応答を返送する（Ｓ６）。また、問合せに対応可能であることを検出すると、図８のステップＳ２において更新された属性情報を送出すると共に、ハイライトシーン情報に基づき動画形式の１ピクチャ（ＭＰＥＧならばＩピクチャ）をＪＰＥＧやＧＩＦの静止画形式の画像情報へ変換し（動画／静止画変換手段２２）送出する（Ｓ７）。この画像情報は、図７に示されるタイトル情報のテーブルに対応してタイトル情報データベース５に記憶される。
【００２５】
クライアント４−１〜４−ｎにおいてユーザがビデオに関するメニューの要求を行うと、ＷＷＷブラウザ４１は図１２に示されるフローチャートのプログラムに基づきタイトル情報をＷＷＷサーバ３から得て図１３に示されるようなメニューの表示を行う。即ち、ユーザからビデオに関するメニューの要求が入力されると、ＷＷＷブラウザ４１はＷＷＷサーバ３へアクセスを行い、これに応えてＷＷＷサーバ３のビデオ情報提供手段３２が図７に示すタイトル情報と対応のハイライトシーンの静止画情報をＷＷＷブラウザ４１へ返送する。ＷＷＷブラウザ４１は、これを受け取り、図１３に示されるようなレイアウトに配置して表示を行う（Ｓ２１）。図１３の最上位欄には、画面操作を行うカーソルマークが矢印にて表され、ビデオ画像の提供を求める実行キーマークが四角により表されている。その他、終了キーマーク等も表示され得る。また、６分割画面の左上欄には項目の例示があり、他の欄に実際のタイトル情報と対応のハイライトシーンが表示される。
【００２６】
ＷＷＷブラウザ４１は入力の有無を調べ（Ｓ２２）、入力があると入力内容の解析を行い（Ｓ２３）、ビデオ画像の提供を求めるものであるか（Ｓ２４）、カーソル移動を求めるものであるか（Ｓ２５）、終了を求めるものであるか（Ｓ２５）を検出し、ビデオ画像の提供を求めるものである場合には、ビデオブラウザ４２を起動し選択されたビデオサーバとコンテンツの情報を与えて制御を移行する（Ｓ２８）。このとき例えばビデオブラウザ４２がビデオサーバ２−２をアクセスし、アクセスされたビデオサーバ２−２は、動画供給手段２１が指定されたビデオ情報をビデオブラウザ４２へ与えることになる。また、カーソル移動を求めるものである場合には、対応の処理を行い（Ｓ２６）、終了を求めるものである場合には処理を終了する。
【００２７】
以上のように本実施の形態によれば、ＷＷＷサーバ３をアクセスすることで各ビデオサーバ２−１〜２−３が提供するビデオ画像の内容を知ることができ、ビデオサーバ毎にアクセスする場合に比べて効率が良く、特別なソフトを用いることなく適切に情報を取得できる。
【００２８】
上記の他に、ＷＷＷサーバ３は、各ビデオサーバ２−１〜２−３から負荷状況の情報を所定時間毎に得て、この情報から混雑度を、例えば、数段階でランク付けしてタイトル情報と共に表示する。また、料金、日本語版か英語版かの情報など、各種の情報をタイトル情報と共に表示するようにしても良い。
【００２９】
【発明の効果】
以上説明したように本発明に係るビデオオンデマンド支援システムによれば、特別なソフトによることなく、ハイライトシーンを見ることができ便利である。
【００３０】
本発明に係るビデオオンデマンド支援システムによれば、動画による１ピクチャのビデオデータを静止画形式のデータに変換したハイライトシーンを見ることができる。
【００３１】
本発明に係るビデオオンデマンド支援システムによれば、ビデオサーバの負荷状態の情報を得て、クライアントに対しては、ビデオサーバの混雑度情報として提供するので、クライアントはビデオサーバの混雑度情報を得ることが可能である。
【００３２】
本発明に係るビデオオンデマンド支援システムによれば、１つのサーバから複数のビデオサーバが提供しているコンテンツの内容を得ることができる。
【００３３】
本発明に係るウェブサーバによれば、複数のビデオサーバから取得したビデオデータに関するハイライトシーンを提供することが可能になる。
【図面の簡単な説明】
【図１】本発明の実施の形態に係るビデオオンデマンド支援システムの構成図。
【図２】本発明の実施の形態に係るビデオオンデマンド支援システムのサーバ等の構成図。
【図３】本発明の実施の形態に係るビデオオンデマンド支援システムにおけるＷＷＷサーバに保持されていたタイトル情報のテーブルを示す図。
【図４】本発明の実施の形態に係るビデオオンデマンド支援システムにおけるビデオサーバに保持されていたタイトル情報のテーブルを示す図。
【図５】本発明の実施の形態に係るビデオオンデマンド支援システムにおけるビデオサーバに保持されていたタイトル情報のテーブルを示す図。
【図６】本発明の実施の形態に係るビデオオンデマンド支援システムにおけるビデオサーバに保持されていたタイトル情報のテーブルを示す図。
【図７】本発明の実施の形態に係るビデオオンデマンド支援システムにおけるＷＷＷサーバに保持されていたタイトル情報のテーブルを示す図。
【図８】本発明の実施の形態に係るビデオオンデマンド支援システムにおけるビデオサーバの動作を説明するためのフローチャート。
【図９】本発明の実施の形態に係るビデオオンデマンド支援システムにおけるビデオサーバの動作を説明するためのフローチャート。
【図１０】本発明の実施の形態に係るビデオオンデマンド支援システムにおけるＷＷＷサーバの動作を説明するためのフローチャート。
【図１１】本発明の実施の形態に係るビデオオンデマンド支援システムにおけるＷＷＷサーバの動作を説明するためのキュー内容の変化を示す図。
【図１２】本発明の実施の形態に係るビデオオンデマンド支援システムにおけるクライアントの動作を説明するためのフローチャート。
【図１３】本発明の実施の形態に係るビデオオンデマンド支援システムにおけるクライアントに表示されるビデオメニュー画面の例を示す図。
【符号の説明】
１  ネットワーク                      ２−１〜２−３  ビデオサーバ
３  ＷＷＷサーバ                      ４−１〜４−ｎ  クライアント
５  タイトル情報データベース          ２１  動画供給手段
２２  動画／静止画変換手段            ２３  属性情報管理手段
３１  属性情報取得手段                ３２  ビデオ情報提供手段
４１  ＷＷＷブラウザ                  ４２  ビデオブラウザ
【図１】
0004006135.tif 000002
【図２】
0004006135.tif 000003
【図３】
0004006135.tif 000004
【図４】
0004006135.tif 000005
【図５】
0004006135.tif 000006
【図６】
0004006135.tif 000007
【図７】
0004006135.tif 000008
【図８】
0004006135.tif 000009
【図９】
0004006135.tif 000010
【図１０】
0004006135.tif 000011
【図１１】
0004006135.tif 000012
【図１２】
0004006135.tif 000013
【図１３】
0004006135.tif 000014